(57)【特許請求の範囲】
【請求項１】
戸本体と、ガラスパネルと、一方枠体と、他方枠体を備え、戸本体は、一方側面と他方側面の両面に耐火性パネルを取り付けてあって、一方側と他方側を連通する開口部を設けてあり、一方側面の耐火性パネルが、開口部の内周側に延出する延出部を有しており、開口部にガラスパネルを嵌め込んであって、ガラスパネルを一方枠体と他方枠体で挟み込むことのみで保持しており、他方枠体が、一方側に向けて延びるネジ止め部を有していて、一方枠体と、他方枠体のネジ止め部によって、一方側面の耐火性パネルの延出部を挟み込んでネジ止めしてあることを特徴とする戸。
【発明の詳細な説明】
【技術分野】
【０００１】
本発明は、防火性能を有する戸に関する。
【背景技術】
【０００２】
従来、特許文献１に示すように、玄関ドアなどの戸において、窓を設けたものがある。この窓は、戸本体に形成した開口部にガラスパネルを嵌め込んだもので、室外側及び室内側から枠体を取り付け、ガラスパネルを挟み込んで保持している。
【先行技術文献】
【特許文献】
【０００３】
【特許文献１】特開２００２−１４７１２８号公報
【発明の概要】
【発明が解決しようとする課題】
【０００４】
しかしながら、このような戸においては、火災時に枠体及びガラスパネルが脱落して室内外が連通し、火炎や煙が通過して延焼に繋がるおそれがあった。
【０００５】
本発明は、上記事情を鑑みたものであり、窓を有し、炎熱にさらされても窓のガラスパネルが脱落しない戸を提供することを目的とする。
【課題を解決するための手段】
【０００６】
本発明は、戸本体と、ガラスパネルと、一方枠体と、他方枠体を備え、戸本体は、一方側面と他方側面の両面に耐火性パネルを取り付けてあって、一方側と他方側を連通する開口部を設けてあり、一方側面の耐火性パネルが、開口部の内周側に延出する延出部を有しており、開口部にガラスパネルを嵌め込んであって、ガラスパネルを一方枠体と他方枠体で挟み込むことのみで保持しており、他方枠体が、一方側に向けて延びるネジ止め部を有していて、一方枠体と、他方枠体のネジ止め部によって、一方側面の耐火性パネルの延出部を挟み込んでネジ止めしてあることを特徴とする。
【発明の効果】
【０００７】
本発明によれば、戸の一方側で火災が発生した場合、一方枠体が溶解・脱落しても、一方側面の耐火性パネルの延出部にネジ止めした他方枠体は脱落しない。また、戸の他方側で火災が発生した場合、他方枠体の他方側の露出部分が溶解しても、他方枠体のネジ止め部の少なくとも一部は溶解せずに残存し、ネジ止め部とともに一方側面の耐火性パネルの延出部を挟み込んでネジ止めした一方枠体は脱落しない。よって、何れの場合においても、火災が発生した側の反対側の枠体は、脱落せず維持される。そして、一般に火災が発生した側は正圧となり、ガラスパネルは残った枠体に押圧されて脱落しないので、一方側と他方側とが連通しない。これにより、火炎や煙が遮断され、延焼が防がれる。
【図面の簡単な説明】
【０００８】
【図１】戸の第一実施形態の開口部の縁部の拡大図である。
【図２】戸の縦断面図（図６のＥ−Ｅ線断面図）である。
【図３】戸の横断面図（図６のＦ−Ｆ線断面図）である。
【図４】一方枠体の詳細を示し、（ａ）は正面図、（ｂ）は側面図、（ｃ）は背面図、（ｄ）はＡ−Ａ線断面図、（ｅ）はＢ−Ｂ線断面図である。
【図５】他方枠体の詳細を示し、（ａ）は正面図、（ｂ）は側面図、（ｃ）は背面図、（ｄ）はＣ−Ｃ線断面図、（ｅ）はＤ−Ｄ線断面図である。
【図６】（ａ）は戸の室内側正面図、（ｂ）は戸の室外側正面図である。
【図７】戸の第二実施形態の開口部の縁部の拡大図である。
【発明を実施するための形態】
【０００９】
以下、本発明の実施の形態を図面に基づいて説明する。この戸は、建物の種々の場所で用いられるものであるが、ここでは第一実施形態として、玄関戸として用いられる場合を示す。なお、以下においては、戸の室内側が一方側、室外側が他方側に相当する。図６に示すように、この戸は、開き戸であって、戸本体１の上辺が円弧状に形成されている。この戸本体１は、板状の発泡スチロールからなるもので、図２及び図３に示すように、室内側（一方側）と室外側（他方側）の両面に、鋼板からなる耐火性パネル５ａ，５ｂを接着剤により接着して取り付けてある。さらに室外側面には、上下に延びる化粧板１２を左右に並べて取り付けてある。また、戸を室内側から見て（図６（ａ））、左辺が躯体に軸支されており、右側部に取手１３と錠１４を設けてある。そして、戸本体１の上部の左右方向中央位置に、窓１０を設けてある。
【００１０】
この窓１０は、戸本体１に形成した開口部１１に、ガラスパネル２を嵌め込み、室内側（一方側）と室外側（他方側）から、それぞれ一方枠体３と他方枠体４を取り付けて、両枠体３，４でガラスパネル２を挟み込んで保持したものである。より詳しくは、開口部１１は、戸本体１と、その両面の耐火性パネル５ａ，５ｂに形成した正方形の孔からなり、室内側（一方側）と室外側（他方側）を連通している。ただし、図１に示すように、室内側（一方側）の耐火性パネル５ａの孔は、戸本体１及び室外側（他方側）の耐火性パネル５ｂの孔よりも小さく、すなわち、室内側（一方側）の耐火性パネル５ａは、開口部１１の内周側に延出する延出部５１を有している。なお、図１〜図３に示すように、開口部１１の周縁の全周にわたって、戸本体１と耐火性パネル５ａ，５ｂの間に、耐火材６を設けてある。この耐火材６は、火災時において、熱により発泡して膨張するものであり、通常時においては、戸本体１と耐火性パネル５ａ，５ｂの間で押しつぶされた状態となっている。また、ガラスパネル２は、二枚の耐熱性を有するガラス板２１ａ，２１ｂの間にスペーサ２２を挟み込んだ複層ガラスであり、特に室内側のガラス板２１ａは、網入りガラスからなる。
【００１１】
一方枠体３は、アルミ鋳物からなるものであって、図４に示すように、正方形の枠体形状のものであり、（ａ）に示す正面が室内側（一方側）を向き、（ｃ）に示す背面が室外側（他方側）、すなわちガラスパネル２側を向く。大きさは、戸本体１の開口部１１よりも一回り大きい。そして、上下左右の各辺において、室内側面の内周部及び外周部は、意匠性を考慮して、それぞれ内周側及び外周側へ向けて室外側に傾斜した形状となっている。また、各辺の中央部には、室内外方向に貫通するネジ孔３１を設けてある。さらに、各辺の室外側面の内周部には、室外側に向けて開口する溝部３２を形成してある。
【００１２】
他方枠体４は、アルミ鋳物からなるものであって、図５に示すように、正方形の枠体形状のものであり、（ａ）に示す正面が室外側（他方側）を向き、（ｃ）に示す背面が室内側（一方側）、すなわちガラスパネル２側を向く。大きさは、戸本体１の開口部１１よりも一回り大きく、一方枠体３と略同じである。上下左右の各辺において、室外側面は、意匠性を考慮して、外周側から内周側へ向けて室内側に傾斜した形状となっている。また、各辺の室内側面の中央部には、室内側（一方側）に向けて延びるネジ止め部４１を形成してある。ネジ止め部４１は、室内側に向けて先細となる四角錐台形状であって、他方枠体４の各辺の略１／５の幅であり、延出長さは戸本体１の厚さと略同じである。そして、ネジ止め部４１の先端面（室内側面）には雌ネジ部４２が形成してあり、この雌ネジ部４２の位置は、一方枠体３と組み合わせた際に、ネジ孔３１の位置と重なる。さらに、各辺の室内側面の内周部には、室内側に向けて開口する溝部４３を形成してある。また、室外側面には、上下及び左右に延びる格子材４４を二本ずつ設けて井桁状に形成してある。
【００１３】
そして、このように形成した一方枠体３及び他方枠体４によって、ガラスパネル２を挟み込む。それには、図１に示すように、まず一方枠体３の溝部３２と他方枠体４の溝部４３に、それぞれタイト材３３，４５を嵌め込んで取り付ける。そして、他方枠体４を戸本体１の開口部１１に室外側（他方側）から取り付け、ガラスパネル２を室内側（一方側）から開口部１１に嵌め込む。この際、図２に示すように、他方枠体４の下辺のネジ止め部４１の上面にセッティングブロック２３を取り付け、セッティングブロック２３にガラスパネル２を載置する（このため、他方枠体４の下辺のネジ止め部４１の上面は水平向きになっている）。そして一方枠体３を開口部１１に室内側（一方側）から取り付けることで、一方枠体３のタイト材３３と他方枠体４のタイト材４５により、ガラスパネル２が挟み込まれる。ここで、一方枠体３と他方枠体４は、何れも開口部１１より一回り大きいので、一方枠体３と他方枠体４の外周部が、開口部１１の周縁部に係合するものであり、すなわち、一方枠体３の外周部の室外側面が、室内側の耐火性パネル５ａ及び内周側に延出する延出部５１に当接し、他方枠体４の外周部の室内側面が、室外側の耐火性パネル５ｂに当接する。そして、他方枠体４のネジ止め部４１は、ガラスパネル２の外周側（戸本体１とガラスパネル２の間）に位置し、先端面（室内側面）が、室内側（一方側）の耐火性パネル５ａの延出部５１に当接する。よって、室内側（一方側）の耐火性パネル５ａの延出部５１は、一方枠体３と、他方枠体４のネジ止め部４１によって挟み込まれる。延出部５１には、一方枠体３のネジ孔３１及び他方枠体４の雌ネジ部４２と重なる位置に貫通孔を形成してあり、貫通孔を通して、一方枠体３のネジ孔３１と他方枠体４の雌ネジ部４２が連通する。そして、一方枠体３の四つのネジ孔３１からそれぞれネジ７を挿入し、雌ネジ部４２に螺合させることで、一方枠体３と他方枠体４がネジ止めされる。ネジ孔３１には、室内側からキャップ３４を被せて、ネジ７を覆い隠してある。また、一方枠体３の室外側面のネジ孔３１と溝部３２の間及び他方枠体４の室内側面のネジ止め部４１と溝部４３の間には、それぞれ四周にわたって延びる耐火材８を取り付けてあり、一方枠体３の耐火材８と他方枠体４の耐火材８が対向している。この耐火材８は、火災時において、熱により発泡して膨張するものである。また、図２に示すように、開口部１１の下辺において、戸本体１の内周側面を防水シート１５で覆ってある。防水シート１５は、室内側端において、耐火性パネル５ａの延出部５１との隙間をシール材１６により埋めてあり、室外側端において、戸の室外側面に折り返してあって、他方枠体４と耐火性パネル５ｂの間に挟み込まれている。この防水シート１５により、戸本体１と耐火性パネル５ａ，５ｂの間に水が浸入することを防いでいる。
【００１４】
このように構成した戸の第一実施形態によれば、戸の室内側（一方側）で火災が発生した場合、一方枠体３が溶解・脱落しても、他方枠体４は溶解せず、ネジ止め部４１にネジが掛かった状態が維持され、室内側（一方側）の耐火性パネル５ａの延出部５１にネジ止めした他方枠体４は脱落しない。また、戸の室外側（他方側）で火災が発生した場合、他方枠体４の室外側（他方側）の露出部分が溶解しても、他方枠体４のネジ止め部４１は、開口部１１内に奥まっており、また一方枠体３に取り付けた耐火材８が熱により発泡してネジ止め部４１の内周側面を覆うため、少なくとも一部は溶解せずに残存する。これにより、残存したネジ止め部４１にネジが掛かった状態が維持され、ネジ止め部４１とともに室内側（一方側）の耐火性パネル５ａの延出部５１を挟み込んでネジ止めした一方枠体３は脱落しない。よって、何れの場合においても、火災が発生した側の反対側の枠体は、脱落せず維持される。そして、一般に火災が発生した側は正圧となり、ガラスパネル２は残った枠体に押圧され、さらにガラスパネル２はセッティングブロック２３を介して他方枠体４の下辺のネジ止め部４１に載置されているので、ガラスパネル２が脱落することはなく、開口部１１において室内側と室外側とが連通しない。このようにして、本発明の戸により火炎や煙が遮断され、延焼が防がれる。さらに、火災時には、少なくとも残った枠体の耐火材８が熱により発泡して膨張し、ガラスパネル２の周縁部と他方枠体４のネジ止め部４１の間の空間に充満するので、気密が維持され、より確実に火炎や煙が遮断される。また、火災時には、耐火性パネル５ａ，５ｂを接着している接着剤が溶解して、戸本体１から耐火性パネル５ａ，５ｂが浮き上がる場合があるが、その際には、戸本体１と耐火性パネル５ａ，５ｂの間に設けた耐火材６が発泡して、戸本体１と耐火性パネル５ａ，５ｂの間に炎熱が進入することを防ぐ。
【００１５】
また、図７に示すのは、本発明の戸の第二実施形態の開口部１１の縁部の拡大図である。第二実施形態も、第一実施形態と同様に玄関戸として用いられるものであって、戸本体１に窓１０を設けてあり、窓１０は、戸本体１に形成した開口部１１に、ガラスパネル２を嵌め込み、室内側（一方側）と室外側（他方側）から、それぞれ一方枠体１０３と他方枠体１０４を取り付けて、両枠体１０３，１０４でガラスパネル２を挟み込んで保持したものである。ただし、第一実施形態と異なり、一方枠体１０３と他方枠体１０４が、アルミ形材により形成されている。
【００１６】
一方枠体１０３は、アルミ形材を四周枠組みして、正方形の枠体形状としたものであり、戸本体１の開口部１１よりも一回り大きい。そして、上下左右の各辺において、室内側（一方側）に向けて開口する略Ｃ字状の取付溝１３５を設けてあり、各辺の中央部の取付溝１３５の底面（見付面）には、室内外方向に貫通するネジ孔１３１を設けてある。また、各辺の内周部には、室外側に向けて突出する略Ｔ字状の係合部１３２を形成してある。
【００１７】
他方枠体１０４は、アルミ形材を四周枠組みして、正方形の枠体形状としたものであり、戸本体１の開口部１１よりも一回り大きい。そして、上下左右の各辺が、断面略矩形の中空形材からなる。また、各辺の室内側面には、室内側（一方側）に向けて延びるネジ止め部１４１を形成してある。ネジ止め部１４１は、室内側に向けて延びる見込面部１４６と、見込面部１４６の室内側端から外周側に向けて延びる見付面部１４７からなる。そして、ネジ止め部１４１の見付面部１４７には雌ネジ部１４２が形成してあり、この雌ネジ部１４２の位置は、一方枠体１０３と組み合わせた際に、ネジ孔１３１の位置と重なる。さらに、各辺の室内側面の内周部には、室内側に向けて開口する略Ｃ字状の溝部１４３を形成してある。
【００１８】
そして、このように形成した一方枠体１０３及び他方枠体１０４によって、ガラスパネル２を挟み込む。それには、図７に示すように、まず一方枠体１０３の係合部１３２と他方枠体１０４の溝部１４３に、それぞれタイト材１３３，１４５を取り付ける。そして、他方枠体１０４を戸本体１の開口部１１に室外側（他方側）から取り付け、ガラスパネル２を室内側（一方側）から開口部１１に嵌め込み、さらに一方枠体１０３を開口部１１に室内側（一方側）から取り付けることで、一方枠体１０３のタイト材１３３と他方枠体１０４のタイト材１４５により、ガラスパネル２が挟み込まれる。ここで、一方枠体１０３と他方枠体１０４は、何れも開口部１１より一回り大きいので、一方枠体１０３と他方枠体１０４の外周部が、開口部１１の周縁部に係合するものであり、すなわち、一方枠体１０３の外周部が、室内側の耐火性パネル５ａ及び内周側に延出する延出部５１に当接し、他方枠体１０４の外周部が、室外側の耐火性パネル５ｂに当接する。そして、他方枠体１０４のネジ止め部１４１は、ガラスパネル２の外周側（戸本体１とガラスパネル２の間）に位置し、見付面部１４７が、室内側（一方側）の耐火性パネル５ａの延出部５１に当接する。よって、室内側（一方側）の耐火性パネル５ａの延出部５１は、一方枠体１０３と、他方枠体１０４のネジ止め部１４１によって挟み込まれる。延出部５１には、一方枠体１０３のネジ孔１３１及び他方枠体１０４の雌ネジ部１４２と重なる位置に貫通孔を形成してあり、貫通孔を通して、一方枠体１０３のネジ孔１３１と他方枠体１０４の雌ネジ部１４２が連通する。そして、一方枠体１０３の四つのネジ孔１３１からそれぞれネジ７を挿入し、雌ネジ部１４２に螺合させることで、一方枠体１０３と他方枠体１０４がネジ止めされる。さらに、一方枠体１０３には、室内側からカバー材１３４を被せてある。カバー材１３４は、一方枠体１０３の取付溝１３５に係合させて取り付けるものであり、内周部及び外周部は、意匠性を考慮して、それぞれ内周側及び外周側へ向けて室外側に傾斜した形状となっていて、一方枠体１０３の全体を覆い隠してある。また、一方枠体１０３の室外側面のネジ孔１３１と係合部１３２の間、他方枠体１０４の室内側面の見込面部１４６の内周側部分と外周側部分及び見付面部１４７の室外側面には、それぞれ四周にわたって延びる耐火材８を取り付けてあり、室内側と室外側の耐火材８が対向している。この耐火材８は、火災時において、熱により発泡して膨張するものである。
【００１９】
このように構成した戸の第二実施形態においても、第一実施形態と同様に、戸の室内側（一方側）で火災が発生した場合、一方枠体１０３が溶解・脱落しても、他方枠体１０４は溶解せず、ネジ止め部１４１にネジが掛かった状態が維持され、室内側（一方側）の耐火性パネル５ａの延出部５１にネジ止めした他方枠体１０４は脱落しない。また、戸の室外側（他方側）で火災が発生した場合、他方枠体１０４の室外側（他方側）の露出部分が溶解しても、他方枠体１０４のネジ止め部１４１は、開口部１１内に奥まっており、また耐火材８が熱により発泡してネジ止め部１４１を覆うため、少なくとも見付面部１４７は溶解せずに残存する。これにより、残存したネジ止め部１４１の見付面部１４７にネジが掛かった状態が維持され、ネジ止め部１４１の見付面部１４７とともに室内側（一方側）の耐火性パネル５ａの延出部５１を挟み込んでネジ止めした一方枠体１０３は脱落しない。よって、何れの場合においても、火災が発生した側の反対側の枠体は、脱落せず維持される。そして、一般に火災が発生した側は正圧となり、ガラスパネル２は残った枠体に押圧されて脱落しないので、開口部１１において室内側と室外側とが連通しない。このようにして、本発明の戸により火炎や煙が遮断され、延焼が防がれる。さらに、火災時には、耐火材８が熱により発泡して膨張し、ガラスパネル２の周縁部と他方枠体１０４のネジ止め部１４１の間の空間及び戸本体１の開口縁部と他方枠体１０４のネジ止め部１４１の間の空間に充満するので、気密が維持され、より確実に火炎や煙が遮断される。
【００２０】
本発明は、上記の実施形態に限定されない。たとえば、一方枠体及び他方枠体は、上記の要件を満たすものであれば、どのような形状であってもよいし、どのような製造方法によるものであってもよい。また、上記の各実施形態とは逆に、一方枠体を室外側に取り付け、他方枠体を室内側に取り付けるものであってもよい。さらに、この戸は、玄関戸のほか、種々の場所に設置する戸として用いることができる。また、耐火性パネルの材質は、鋼板のほか、たとえば石膏や炭素繊維強化樹脂など、炎熱に強いものであればどのようなものであってもよい。さらに、ガラスパネルは単層のものでもよいが、耐熱性を有するガラス板からなることが望ましく、また複層ガラスの場合、少なくとも一方のガラス板が耐熱性を有するものであることが望ましい。また、耐火性パネルの延出部は、上記実施形態のように開口部の全周にわたって延出するもののほか、一方枠体及び他方枠体とのネジ止め部分のみ延出するものでもよいし、耐火性パネルとは別体のものを、耐火性パネルに溶接やネジ止めなどによって取り付けるものでもよい。
【符号の説明】
【００２１】
１  戸本体
２  ガラスパネル
３  一方枠体
４  他方枠体
５ａ，５ｂ  耐火性パネル
１１  開口部
４１  ネジ止め部
５１  延出部
【図１】
0006407006.tif 000002
【図２】
0006407006.tif 000003
【図３】
0006407006.tif 000004
【図４】
0006407006.tif 000005
【図５】
0006407006.tif 000006
【図６】
0006407006.tif 000007
【図７】
0006407006.tif 000008